(57)【特許請求の範囲】
【請求項１】
番組に関する文字または音声に変換可能な解説情報であって選択可能な複数の解説情報と番組を受信する受信手段と、
前記解説情報を蓄積し指令に応じて読み出し出力する蓄積手段と、
前記番組に対応する前記選択可能な複数の解説情報の中の所望のものを前記蓄積手段から読み出して出力する制御手段と、
前記制御手段から入力した解説情報から文字情報および／または音声情報を生成し出力する文字情報・音声情報生成手段と、
前記番組に前記文字情報および／または前記音声情報を重畳し出力する重畳手段と、
前記複数の解説情報の中の所望のものを指令するかあるいはいずれをも所望しないことを指令する操作を含む操作手段とを含み、
前記制御手段は前記操作手段の指令に応じて前記番組が供給された状態において前記番組と同時に上記所望された文字情報および／または前記音声情報を供給オンとするかあるいは前記番組が供給された状態において前記番組と同時に上記文字情報および／または前記音声情報を供給オフとするかを制御し、供給オンの場合に前記文字情報・音声情報生成手段が生成し前記重畳手段が重畳する文字情報および／または音声情報のスクロールを制御することを特徴とした番組受信端末装置。
【請求項２】
番組に関する文字または音声に変換可能な解説情報であって選択可能な複数の解説情報と番組を受信する受信手段と、
前記解説情報を蓄積し指令に応じて読み出し出力する蓄積手段と、
前記番組に対応する前記選択可能な複数の解説情報の中の所望のものを前記蓄積手段から読み出して出力する制御手段と、
前記制御手段から入力した解説情報から文字情報および／または音声情報を生成し出力する文字情報・音声情報生成手段と、
前記番組に前記文字情報および／または前記音声情報を重畳し出力する重畳手段と、
前記複数の解説情報の中の所望のものを指令し、また順方向スクロールするかあるいは逆方向スクロールするかを指令する操作を含む操作手段と、
前記制御手段は前記操作手段の指令に応じて前記番組が供給された状態において前記番組と同時に上記所望された文字情報および／または前記音声情報を順方向スクロールするかあるいは前記番組が供給された状態において前記番組と同時に上記文字情報および／または前記音声情報を逆方向スクロールするかを制御することを特徴とした番組受信端末装置。
【発明の詳細な説明】
【０００１】
【発明の属する技術分野】
本願発明は、テレビ放送の番組ガイド情報を表示する受信端末装置に関し、特に現在見ているテレビ番組に番組解説情報が存在することを画面の表示によってユーザに知らせ、更に前記番組解説情報を取得し表示する受信端末装置に関する。
【０００２】
【従来の技術】
従来からテレビジョン放送の番組に関するガイド情報（以下、番組ガイド、Ｇガイドともいう）を受信して番組を鑑賞する助けとする、様々な提案がなされてきている。
従来においてなされた提案の一部を挙げると、例えば特開平７−１８４１３６号公報に記載の発明においては、文字放送を用いた番組表の作成が提案されている。
【０００３】
更に、特開平６−６２３８２号公報、特開平８−１０７５５２号公報、特開平８−１２５９９６号公報、特開平９−２０５６２２号公報に記載の発明においては、文字放送による情報をスクロールすることにより、テレビ放送との同時表示を可能にする技術が提案されている。
また、特開平６−１５３０７５号公報に記載の発明においては、あらかじめ設定した条件を満足する場合に、放送から抽出したデータを画面に重畳して表示する技術が開示されている。
【０００４】
一方、前記文字放送は搬送できる情報量が限られており、例えば一週間分の番組表を送るようなことが出来ないので、例えば、特開平１０−９３８７９号公報、特開平１０−９３８８０号公報に記載の発明においては、この問題点を改良した電子プログラムガイドを利用することが提案されている。更に、例えば特開平１０−５６６００号公報に記載の発明においては、蓄積手段を設けて条件検索をすることによってユーザが所望するチャネルを選択することも提案されている。しかしながら、前記の従来技術は総じて鑑賞すべき番組、チャネルを選択する際のガイドとして利用する目的のものであり、ユーザが現在鑑賞している番組の、鑑賞の助けとなる番組解説情報を迅速にかつ快適な操作で蓄積手段等から抽出し表示する技術はまだ実現していなかった。
【０００５】
【発明が解決しようとする課題】
本願発明は前記のような状況に鑑みてなされたもので、以下の様な課題を解決することを目的とする。
すなわち、ユーザが鑑賞しているテレビ番組に関する番組解説情報が存在するか否かを調べ、調べた結果を画面に表示してユーザに知らせ、さらにユーザは簡便な操作で所望の項目に関する番組の解説情報を選択し表示させることができる受信端末装置を提供することを目的とする。
【０００６】
【課題を解決するための手段】
前記の課題を解決するために本願発明にかかる装置は、
番組に関する文字または音声に変換可能な解説情報であって選択可能な複数の解説情報と番組を受信する受信手段と、
前記解説情報を蓄積し指令に応じて読み出し出力する蓄積手段と、
前記番組に対応する前記選択可能な複数の解説情報の中の所望のものを前記蓄積 手段から読み出して出力する制御手段と、
前記制御手段から入力した解説情報から文字情報および／または音声情報を生成し出力する文字情報・音声情報生成手段と、
前記番組に前記文字情報および／または前記音声情報を重畳し出力する重畳手段と、
前記複数の解説情報の中の所望のものを指令するかあるいはいずれをも所望しないことを指令する操作を含む操作手段とを含み、
前記制御手段は前記操作手段の指令に応じて前記番組が供給された状態において前記番組と同時に上記所望された文字情報および／または前記音声情報を供給オンとするかあるいは前記番組が供給された状態において前記番組と同時に上記文字情報および／または前記音声情報を供給オフとするかを制御し、供給オンの場合に前記文字情報・音声情報生成手段が生成し前記重畳手段が重畳する文字情報および／または音声情報のスクロールを制御することを特徴とした番組受信端末装置を提供する。
【０００７】
更に、前記の課題を解決するために本願発明にかかる装置は、
番組に関する文字または音声に変換可能な解説情報であって選択可能な複数の解説情報と番組を受信する受信手段と、
前記解説情報を蓄積し指令に応じて読み出し出力する蓄積手段と、
前記番組に対応する前記選択可能な複数の解説情報の中の所望のものを前記蓄積手段から読み出して出力する制御手段と、
前記制御手段から入力した解説情報から文字情報および／または音声情報を生成し出力する文字情報・音声情報生成手段と、
前記番組に前記文字情報および／または前記音声情報を重畳し出力する重畳手段と、
前記複数の解説情報の中の所望のものを指令し、また順方向スクロールするかあるいは逆方向スクロールするかを指令する操作を含む操作手段と、
前記制御手段は前記操作手段の指令に応じて前記番組が供給された状態において前記番組と同時に上記所望された文字情報および／または前記音声情報を順方向スクロールするかあるいは前記番組が供給された状態において前記番組と同時に上記文字情報および／または前記音声情報を逆方向スクロールするかを制御することを特徴とした番組受信端末装置を提供する。
【０００８】
【発明の実施の形態】
本願発明に係る装置の第一の実施の形態を、図１ないし図６を用いて説明する。
【０００９】
まず図１を用いて、本願発明に係る装置の第一の実施の形態の構成を説明する。第一の実施の形態の概略の構成図である図１において、宅内に設置されたＣＡＴＶターミナル（１）からケーブル（２）を介して供給されたテレビ信号およびインターネット信号は、受信部（３）に入力し復調される。
受信部（３）は入力したテレビ信号およびインターネット信号を復調してビデオ信号および音声信号を生成し、加算部（７）に出力する。受信部（３）は、また、１日１回定期的に供給されたり、テレビ番組のヘッダに付加される番組情報であるＧガイド情報をＣＡＴＶターミナル（１）、ケーブル（２）を経由して受信し、必要に応じて制御部（４）を経由して文字・音声情報作成部（８）や蓄積部（５）に出力する。
制御部（４）は、前記受信部（３）のチャネル選択、音声レベル調整、サラウンドモードのオン／オフおよびＧガイド受信の制御を行なう。更に制御部（４）は文字・音声情報作成部（８）の制御と蓄積部（５）の制御と、テレビジョン受像機全体の電源オン／オフを制御する。
【００１０】
蓄積部（５）は受信したＧガイド情報を蓄積する機能を有する。操作部（６）は制御部（４）を制御するためのコマンドをユーザが入力する機能を有し、受信端末装置の筐体に付属したスイッチ群であってもよいし、受信端末装置本体からは分離したリモコン装置であってもよい。
文字・音声情報作成部（８）は制御部（４）から入力したＧガイドの文字情報あるいは後述する音声認識部（１６）から入力する、番組の音声を文字化した文字情報から、表示画面に重畳表示するための文字情報画面（テロップとも呼ばれる）の信号を生成し、あるいは／さらに前記制御部（４）から入力したＧガイドの文字情報から音声情報を生成し、加算部（７）に出力する。
加算部（７）は前記受信部（３）から入力したビデオ信号や音声信号に前記文字・音声情報作成部（８）から入力した文字情報画面の信号や音声情報を重畳し出力端子（９）から出力する。また受信部（３）から出力した音声信号は、加算部（７）を経由して出力端子（９）から出力する。
【００１１】
出力端子（９）は図示しないテレビモニター等の映像表示・音声出力手段に入力するためのビデオ信号と音声信号を出力する。ユーザは出力端子（９）と図示しないテレビモニター等とをケーブル等で接続し映像と音声を鑑賞する。
音声認識部（１６）は、受信部（３）が出力する番組の音声信号を受けて音声認識を行い文字情報に変換して、文字・音声情報作成部（８）に出力する。
受信部（３）、制御部（４）、蓄積部（５）、操作部（６）、加算部（７）、文字・音声情報作成部（８）、出力端子（９）及び音声認識部（１６）は受信端末装置に含まれる
【００１２】
次に第一の実施の形態の装置の全体の動作を図２を用いて説明する。
図２は、前記装置の全体の動作の時間的な推移を示すフローチャートである。装置が起動されるとシステムのイニシャライズが行われた後、図２（Ａ）に示すメインルーチンの動作が実行される。
図２（Ａ）に示すメインルーチンにおいて、最初にチャネル選択（ステップＳ１００）が実行され、次に解説表示（ステップＳ２００）が実行され、装置の作動中はこの２つのステップが繰り返し実行される。
【００１３】
一方もしも、Ｇガイド情報の受信が受信部（３）で検出されると、図２（Ｂ）に示す割り込み１が発生し、Ｇガイドを受信し（ステップＳ３００）、図２（Ａ）に示すメインルーチンにリターンする。
さらに、メインルーチンの実行中において、インターネットを受信すべきことが、操作部（６）あるいは図示しない内部タイマーにより指示されると、図２（Ｃ）に示す割り込み２が発生し、インターネットの情報受信を行なう（ステップＳ４００）。前記インターネットの情報受信が内部タイマーの指示による自動受信であれば、画面に表示することなく、受信した情報を蓄積部（５）に保存し、メインルーチンにリターンする。
【００１４】
次に、前記のチャネル選択（ステップＳ１００）の動作を具体的に図３を用いて説明する。図３はチャネル選択（ステップＳ１００）の動作の時間的な推移を示すフローチャートである。
図３において、最初に、ユーザが操作部（６）からガイド表示を指定しているかどうかを判断し（ステップＳ１）、Ｎであれば現在表示されているチャネルを引き続き表示するのでステップＳ６に進み、番組の信号及び蓄積部（５）に含まれる番組の解説情報を抽出した後、  チャネル選択から抜ける。
【００１５】
ステップＳ１でＹであれば、ユーザがチャネルを選択する手段としてＧガイドの表示を望んでいると判断し、Ｇガイドとインターネット番組ホームページによる番組ガイド表示をテレビの画面に表示し（ステップＳ２）、ユーザがチャネルを選択し指示するのを待つ（ステップＳ３のループ）。
ユーザが見たいチャネルを操作部（６）から入力して指示すると（ステップＳ３でＹ）、チャネルがそれで一つに絞り込まれて決定されたかチェックし（ステップＳ４）、ＮであればステップＳ３に戻って再びチャネル指示を待つ。
【００１６】
チェックの結果がＯＫであれば（ステップＳ４でＹ）、指示されたチャネルの番組をテレビ画面に表示し（ステップＳ５）、またそのチャネルの番組の解説情報を番組の信号中及び蓄積部（５）の中から抽出する（ステップＳ６）。その後ステップＳ１００を終了する。
以上がチャネル選択動作（ステップＳ１００）の説明である。
【００１７】
次に、前記解説表示（ステップＳ２００）の動作を図５を用いて具体的に説明する。
図５は解説表示の動作の時間的な推移を示したフローチャートである。
図５において、最初に、ユーザが操作部（６）から入力したコマンドが番組解説の消去であるか否かを判定し（ステップＳ１０），ユーザのコマンドが番組解説の消去であれば（ステップＳ１０でＹ）番組の解説をテレビ画面及び副音声での音声出力から消去し、図５中の符号▲１▼−▲１▼を結ぶ経路を経て、ステップＳ２２へ進む（ステップＳ１１）。
消去でない場合（ステップＳ１０でＮ）、ユーザが操作部（６）から入力したコマンドが、文字情報の停止であるか否かを判断する（ステップＳ１２）。
【００１８】
入力したコマンドが停止であれば（ステップＳ１２でＹ）、テレビ画面上に表示された文字情報を停止させる（ステップＳ１３）（具体的な文字情報の表示方法は後述する）。
コマンドが停止でなければ（ステップＳ１２でＮ）、ステップＳ１４へ進む。またステップＳ１３が終了すれば同様にステップＳ１４に進む。
【００１９】
次にユーザが操作部（６）から入力したコマンドが前方文字情報サーチ（後述する）であるかどうか判断し（ステップＳ１４）、前方文字情報サーチであれば（ステップＳ１４でＹ）、さらにユーザの入力した指示がＦＦ（より早い文字情報の送り表示）であるか否かを判断する（ステップＳ１５）。ＦＦであれば（ステップＳ１５でＹ）ＦＦ表示モードで情報の最後尾まで前方文字情報サーチを続ける（ステップＳ１６）。ＦＦでなければ（ステップＳ１５でＮ）、ノーマル速度で前方文字情報サーチを続ける（ステップＳ１７）。
【００２０】
ステップＳ１６、ステップＳ１７の後、またはステップＳ１４でＮであった場合、ステップＳ１８に進んで、ユーザが操作部（６）から入力したコマンドが後方文字情報サーチ（後述する）であるか否かを判断する。
後方文字情報サーチであれば（ステップＳ１８でＹ）、更にユーザの入力した指示がＦＦ出あるか否かを判断し（ステップＳ１９）、ＦＦであれば（ステップＳ１９でＹ）後方早送りで文字情報をテレビ画面に表示し（ステップＳ２０）、ＦＦでなければ（ステップＳ１９でＮ）ノーマル速度の後方文字情報サーチ表示を行なう（ステップＳ２１）。
ステップＳ２０，ステップＳ２１の後、またはステップＳ１８でＮの場合に、ユーザが操作部（６）から入力したコマンドがチャネル選択であるか否かを判断し（ステップＳ２２）、チャネル選択であれば（ステップＳ２２でＹ）、チャネル選択（ステップＳ１００、図３）を開始し、チャネル選択でなければ（ステップＳ２２でＮ）ステップＳ１０に戻る。
【００２１】
次に文字情報の表示方法を図４を用いて説明する。図４はテレビ画面に文字情報を表示した状態を模式的に表したものである。
文字情報の表示方法の第一の方法は、図４（Ａ）に示すように、テレビ番組を表示するテレビ領域の下方に文字情報を表示する文字情報領域（テロップ領域とも呼ばれる）を設けることである。第二の方法は、図４（Ｂ）に示すように、テレビ領域の上方に文字情報領域を設けることである。第三の方法は図４（Ｃ）に示すように、テレビ領域の上方及び下方に文字情報領域を設けることである。図示しない第四の方法は、スクロール動作をさせる文字情報領域をテレビ領域の下方に表示し、ユーザがスクロールの停止を指示すると停止した文字情報がテレビ領域の上方に表示されることである。
【００２２】
次に、前記の前方文字情報サーチと後方文字情報サーチ（それぞれ前方テロップ及び後方テロップとも呼ばれる）を説明する。
図４において、文字情報領域に表示されている文字列が右から左にスクロールされると、ユーザは文字情報の文章を順方向に読むことができる。これを前方文字情報サーチと呼ぶ。  また、文字列が左から右にスクロールすると、ユーザは文章を逆方向に読むことになるが、前方文字情報サーチで既に表示が済んだ部分をもう一度読みたいときに有効である。これを後方文字情報サーチと呼ぶ。
【００２３】
以上説明した文字情報を用いた番組解説表示において、文字情報の代わりに、あるいは同時に、音声情報を番組解説情報として用いてもよい。番組解説情報としての音声情報は、先に説明した文字情報（テロップ）と同一の経路で番組に重畳される。すなわち蓄積部（５）に蓄積された番組情報から制御部（４）を経由して抽出され、文字・音声情報作成部（８）によって音声情報に変換され、加算部（７）によって番組の音声に重畳されて装置の外部に出力され、図示しない表示手段（ＴＶモニター等）に付属するスピーカから音声情報が再生されるように構成する。更に図５を用いて説明した文字情報のスクロールと同様にユーザの操作に応じて音声情報のスクロールが行われるようにし、更にその時、逆方向に再生された音声はユーザが聴取して理解するのが困難な場合があるので、逆方向のスクロール時には前記の表示手段のスピーカから音声情報が再生されない構成としてもよい。
また本実施の形態は、次の様に実施してもよい。
その第一は、文字情報で表示される文字情報が、番組の解説情報の他に、付属した操作ボタンを用いて切り換えることによりニュース、あるいは天気予報を表示するように、抽出する対象となる蓄積部（５）の具体化手段であるデータベースを切り換える様にすることである。
【００２４】
その第二は、対応する番組解説情報が存在しないとき、例えば「解説はありません」という文字列を文字情報として流すようにし、またこの場合、音声認識部（１６）を用いてテレビ番組の音声を文字列に変換して文字情報にして流すようにする。こうすると音声を聞き逃した場合に後戻りして確認したり、聴覚的ハンディを持つユーザの補助に用いることができる。
その第三は、例えばテレビ番組が成人向けである場合など、ユーザに対する警告が必要な内容を含む場合に、その警告文を文字情報で表示することである。
【００２５】
以上説明したように、本実施の形態は、テレビ番組の番組解説情報を蓄積手段から自動的に抽出し文字情報として画面に表示し、ユーザの操作に応じて前記文字情報が前方及び後方にスクロールしたり、現在位置でスクロールを停止して表示するので、ユーザは面倒な操作を必要とすること無しに、有益な番組の解説を鑑賞できる、という効果がある。
【００２６】
次に本願発明に係る装置の第二の実施の形態を図３及び図６ないし図１０を用いて説明する。
最初に本実施の形態の構成を、図６を用いて説明する。図６は本実施の形態の概略の構成図である。
【００２７】
図６において、先に説明した第一の実施の形態と異ならない部分は同じ符号を付し、また重複する部分は一部説明を省略して示す。
図６において、画像変換部（１０）は、後述するように、ページと呼ばれるまとまった情報の単位でデジタルデータの形で蓄積部（５）に蓄積された番組の解説情報の一部を制御部（４）を経由して入手し、例えばＮＴＳＣ方式信号に変換して、Ａ／Ｄ変換部（１１）に出力する。Ａ／Ｄ変換部（１１）は入力した例えばＮＴＳＣ方式のアナログ画像信号を、伝送に適した信号フォーマットのデジタル画像データに変換し、第２の出力端子（１２）、信号ケーブル（１３）、入力端子（１４）を経由して手元ディスプレイ（１５）へ出力する。
なお、図６において、Ａ／Ｄ変換部（１１）が出力するデジタル画像信号は信号ケーブル（１３）を経由する有線伝送にて手元ディスプレイ（１５）へ送られる構成としているが、他の伝送手段を用いることも可能であり、例えば電磁波を用いた無線伝送方法、あるいはＩＥＥＥ１３９４などのシリアルインターフェイス規格に基く信号フォーマットに変換されて赤外線通信を用いてもよい。
【００２８】
手元ディスプレイ（１５）は、ユーザが手元で確認できる小型の画像表示装置であり、例えば液晶ディスプレイ等で実現され、入力したデジタル画像信号に応じて画像を表示する機能を有する。
【００２９】
次に第二の実施の形態の動作を説明する。
図９（Ａ）は本実施の形態の装置の、全体の動作を説明するフローチャートである。
図９（Ａ）において本実施の形態の装置は、既に説明した第一の実施の形態と同様に、装置が起動すると、システムのイニシャライズの後に、チャネル選択（ステップＳ１００）と解説表示（ステップＳ５００）のサブルーチンを繰り返す。
また、図９（Ａ）で示した全体の動作の途中で、図９（Ｂ）で示す割り込み１（Ｇガイド情報の受信）と図９（Ｃ）で示す割り込み２（インターネット情報の受信）を行なう。割り込みの条件、割り込み動作の内容は、第一の実施の形態と全く同一である。
【００３０】
次に前記の全体の動作中に示した、チャネル選択のサブルーチンを図３を用いて説明する。
図３はチャネル選択のサブルーチン（ステップＳ１００）の動作の時間的な推移を示すフローチャートである。このサブルーチンにおける動作の内容は既に説明した第一の実施の形態とほとんどの点が同一である。
第一の実施の形態に対して異なる点は、図３におけるステップＳ６で文字情報を画面に表示する際に、文字情報に付随して、解説情報の部分的なまとまりであるページの通し番号である、ページ番号が表示されることである。
【００３１】
次に本実施の形態のページ単位の文字情報表示について図７を用いて説明する。
図７は本実施の形態に係る装置における、文字情報表示の一例を示した摸式図である。
図７において文字情報領域には、１．作者、２．時代、３．出演などとページ番号と、その番号のページに収録された解説の項目名が記載されている。ページ番号は例えば９９まで続き、１から９９までが繰り返しスクロールされて文字情報領域に表示されるようになっている。
ページに含まれた内容を表示する動作は後述する。なお、図７においてはテレビ領域の下方に文字情報領域が表示されているが、第一の実施の形態で説明したように、テレビ領域の上方あるいは上下両方に文字情報領域を設けても良いことは言うまでもない。
更に、先の説明では番組に重畳される文字情報（テロップ）について説明したが、第一の実施の形態で説明したように、文字情報の代わり、あるいは同時に音声情報を番組に重畳するようにしてもよい。
【００３２】
次に第二の実施の形態における、解説表示（ステップＳ５００）について図８及び図１０を用いて説明する。
図８は第二の実施の形態における、解説表示の動作の時間的な推移を示したフローチャートである。
図１０は第二の実施の形態における、番組解説の部分の情報（ページともいう）の表示例を示す摸式図である。
本実施の形態において、番組解説は図１０に示すようにページと呼ばれるまとまりを単位とした文字情報である。各ページは作者情報、時代背景といった異なる項目の情報をページ毎に格納しており、後述するように、手元ディスプレイ（１５）の表示画面に１ページ全体が一度に表示される。
また各ページのページ番号は、前記文字情報表示で説明したページ番号に対応し、例えば９９ページが末尾のページである。
【００３３】
図８において、最初に、ユーザが操作部（６）から入力したコマンドが解説の消去であるか否かを判定し（ステップＳ５１０），消去であれば（ステップＳ５１０でＹ）番組の解説をテレビ画面及び副音声での音声出力から消去し（ステップＳ５１１）、図８中の符号▲２▼−▲２▼を結ぶ経路を経て、ステップＳ５２２へ進む。コマンドが消去でない場合（ステップＳ５１０でＮ）には手元ディスプレイ（１５）に図１０に示す番組解説のページを表示する。
その際に表示されるページの番号は、図７に示す文字情報に表示されたページの番号と同じになるようになっており、文字情報は前記のように自動的にスクロールされて表示されているので、手元ディスプレイ（１５）に表示された番組解説のページも自動的に、例えば図１０（Ａ）から図１０（Ｂ）へ、以下同様に次々に異なるページを表示する。
ステップＳ５１０でＮの場合、ステップＳ５１２へ進む。
【００３４】
次にステップＳ５１２において、ユーザが操作部（６）から入力したコマンドが、文字情報の停止であるか否かを判断する。
入力したコマンドが停止であれば（ステップＳ５１２でＹ）、図７に示すテレビ画面上に表示された文字情報のスクロールを停止させ、同時に文字情報領域の先頭に表示されたページ番号に対応した番組解説のページを、手元ディスプレイ（１５）に表示する（ステップＳ５１３）。
コマンドが停止でなければ（ステップＳ５１２でＮ）、ステップＳ５１４へ進む。またステップＳ５１３が終了すれば同様にステップＳ５１４に進む。
【００３５】
次にユーザが操作部（６）から入力したコマンドが前方サーチ（後述する）であるかどうか判断する（ステップＳ５１４）。
コマンドが前方サーチであれば（ステップＳ５１４でＹ）、さらにユーザの入力した指示がＦＦ（より早いサーチの送り表示）であるか否かを判断する（ステップＳ５１５）。ＦＦであれば（ステップＳ５１５でＹ）ＦＦ表示モード，すなわち通常より速い速度でページ番号の昇順に文字情報のスクロール及び手元ディスプレイ（１５）のページめくりを行なう（これを前方ページサーチと呼ぶ）（ステップＳ５１６）。ＦＦでなければ（ステップＳ５１５でＮ）、通常の速度で前方サーチを続ける（ステップＳ５１７）。
【００３６】
ステップＳ５１６、ステップＳ５１７の後、またはステップＳ５１４でＮであった場合、ステップＳ５１８に進んで、ユーザが操作部（６）から入力したコマンドが後方サーチ（後述する）であるか否かを判断する。
後方サーチであれば（ステップＳ５１８でＹ）、更にユーザの入力した指示がＦＦ出あるか否かを判断し（ステップＳ５１９）、ＦＦであれば（ステップＳ５１９でＹ）通常より速い速度で、文字情報のスクロール及び手元ディスプレイ（１５）のページめくりとをページ番号の降順に行い（これを後方サーチと呼ぶ）（ステップＳ５２０）、ＦＦでなければ（ステップＳ５１９でＮ）通常の速度の後方サーチ表示を行なう（ステップＳ５２１）。
ステップＳ５１１、ステップＳ５２０，ステップＳ５２１の後、またはステップＳ５１８でＮの場合に、ユーザが操作部（６）から入力したコマンドがチャネル選択であるか否かを判断し（ステップＳ５２２）、チャネル選択であれば（ステップＳ５２２でＹ）、チャネル選択（ステップＳ１００）を開始し、チャネル選択でなければ（ステップＳ５２２でＮ）ステップＳ５１０に戻る。
【００３７】
本実施の形態では以上説明したような構成によって番組解説の表示を行なうので、テレビ画面の文字情報領域にスクロール表示された解説項目から適宜選択したり、前方あるいは後方にスクロールして所望の解説項目選択を簡便かつ快適にユーザは行なえる、という前記第一の実施の形態と同様な効果があることに加えて、番組解説情報がページ単位で構成され、ユーザは簡便な操作で所望の項目の情報を格納したページを手元ディスプレイ（１５）に表示させて鑑賞できるので、より情報量の多い番組解説を鑑賞できる、という効果がある。
【００３８】
更に本実施の形態では、以下のように構成し、また機能を持たせてもよい。
その第一は、手元ディスプレイ（１５）にスピーカーを配設し、番組解説の音声情報を発声するようにするとともに、手元ディスプレイ（１５）に切り換えボタンが配設され、ユーザがこのボタンを操作することで、番組解説を抽出する蓄積部（５）の具体化手段であるデータベースを通常の番組解説用からニュース・天気予報用に切り換えるようにして、ニュースや天気予報に関する情報を前記文字情報領域及び手元ディスプレイ（１５）に表示するようにしたものである。
【００３９】
その第二は、現在受信している番組に対応する番組解説情報が存在しないとき、「番組解説はありません」などの表現の文字情報を文字情報領域に流し、更に番組の音声を音声認識部（１６）で音声認識し文字化し文字・音声情報作成部（８）で文字情報にしてテレビ画面と合成して表示し、前記表示した文字情報は後戻り（後方スクロール）もできるようにして、ユーザが番組の音声を聞き逃した場合でも後から確認できるようにしている。
また、その第三は、番組が成人映画であった場合など、ユーザに対する警告を表示することが必要な場合、その警告を文字情報領域に表示するようにしている。
【００４０】
【発明の効果】
以上詳細に説明したように、本願発明に係る装置においては、テレビ番組の番組解説情報を蓄積部（５）から自動的に抽出し文字情報として画面に表示し、ユーザの操作に応じて前記文字情報が前方及び後方にスクロールしたり、現在位置でスクロールを停止して表示するので、ユーザは面倒な操作を必要とすること無しに、有益な番組の解説を鑑賞できる、という効果がある。
更に本願発明に係る装置においては、番組解説情報がページ単位で構成され、ユーザは簡便な操作で所望の項目の情報を格納したページを手元ディスプレイ（１５）に表示させて鑑賞できる様に構成したので、より情報量の多い番組解説を簡便な操作で迅速に選択・表示し鑑賞できる、という効果がある。
【図面の簡単な説明】
【図１】本願発明の第一の実施の形態に係る装置の構成図である。
【図２】本願発明の第一の実施の形態に係る装置の、全体の動作を示すフローチャートである。
【図３】本願発明にかかる装置のチャネル選択の動作を示すフローチャートである。
【図４】本願発明の第一の実施の形態にかかる装置の画面表示の例を示す摸式図である。
【図５】本願発明の第一の実施の形態に係る装置の、解説表示の動作を示すフローチャートである。
【図６】本願発明の第二の実施の形態に係る装置の構成を示す構成図である。
【図７】本願発明の第二の実施の形態に係る装置の画面表示の例を示す摸式図である。
【図８】本願発明の第二の実施の形態に係る装置の解説表示の動作を示すフローチャートである。
【図９】本願発明の第二の実施の形態に係る装置の全体の動作を示すフローチャートである。
【図１０】本願発明の第二の実施の形態に係る装置の番組解説の表示例を示す摸式図である。
【符号の説明】
１  ＣＡＴＶターミナル
２  ケーブル
３  受信部
４  制御部
５  蓄積部
６  操作部
７  加算部
８  文字・音声情報作成部
９  出力端子
１０  画像変換部
１１  Ａ／Ｄ変換部
１２  第二の出力端子
１３  第二のケーブル
１４  入力端子
１５  手元ディスプレイ
【図１】
0003596734.tif 000002
【図２】
0003596734.tif 000003
【図３】
0003596734.tif 000004
【図４】
0003596734.tif 000005
【図５】
0003596734.tif 000006
【図６】
0003596734.tif 000007
【図７】
0003596734.tif 000008
【図８】
0003596734.tif 000009
【図９】
0003596734.tif 000010
【図１０】
0003596734.tif 000011